(57)【要約】【課題】コアを形成する上下１対のＥ型コア半体同士の固定、及びこのコアとベース間の固定を、複雑な構造をした接着治具を用いることなく同時に一回で行うことができるようにしたトランスを提供する。【解決手段】端子台部１６ａを有したコイルボビン１３と、平面視概略四角形状をした上下１対のＥ型コア半体１４ａ,１４ｂを突き合わせ接着して一体化されたコア１４と、コイルボビン１３の外周に巻装されてなるコイル１２とからなるトランスにおいて、端子台部１６ａの下面２６ｂ側に、下側コア半体１４ａを挿入する開口２７を有し、かつ該開口２７を通して収容された下側コア半体１４ａが水平面内で所定量回転するのを許容するスペースを内部に有してなるコア収容凹部２０と、該コア収容凹部２０内に収容され、かつ、所定量回転されたコア半体１４ａを抜け止めするためのコア抜け止め部２３を設けてなるトランス。【選択図】図３
2011146649.tif 000002
【特許請求の範囲】
【請求項１】
端子台部を有したコイルボビンと、該コイルボビンの上下からコア半体同士を突き合わせ接着して一体化されたコアと、コイルボビンの外周に巻装されてなるコイルとからなるトランスであって、
前記端子台部の下面側に設けられ、前記下側のコア半体を挿入する開口と、
該開口を通して収容されたコア半体が水平面内で所定量回転するのを許容するスペースを内部に有してなるコア収容凹部と、
該コア収容凹部内に収容され、所定量回転された前記コア半体の下面と当接されて該コア半体を該コア収容凹部内に抜け止めするためのコア抜け止め部と、を有することを特徴とするトランス。
【請求項２】
前記コア抜け止め部は、前記コア収容凹部内に収容された前記コア半体の下面の四隅とそれぞれ当接係合されるようにして、該コア収容凹部の下面四隅に前記開口の縁部と連続して棚状に設けられていることを特徴とする請求項１に記載のトランス。
【請求項３】
前記端子台部は、
中央部に前記コイルと同心的に設けられたコア中脚挿入孔と、
該コア中脚挿入孔を挟んだ左右両側にそれぞれ平行に形成されたコア外脚挿入孔と、を備え、
前記コア収容凹部内に収容される前記コア半体は、前記コア中脚挿入孔に挿入される断面円形をした中脚部と前記コア外脚挿入孔にそれぞれ挿入される１対の外脚部とを有したＥＲコア半体として形成してなることを特徴とする請求項１または２に記載のトランス。
【発明の詳細な説明】
【技術分野】
【０００１】
本発明は、トランスに関するものであり、特に、コアを形成するコア半体同士の固定及びこのコアとコイルボビンの端子台部間の固定を同時に一回で行うことができるようにしたトランスに関するものである。
【背景技術】
【０００２】
従来、トランスとして、数多くの種類のトランスが知られている。このうち、一般的なトランスとしては、例えば特許文献１,特許文献２に示すようなものがある。
【０００３】
特許文献１には、Ｅ型コア半体とＩ型コア半体で構成されたトランスであって、Ｉ型コア半体をコイルボビンの底面に設けられたコアガイド溝に側面横方向から挿通して取り付けるとともに、Ｅ型コア半体をコイルボビンの上方からＩ型コア半体に臨ませ、このＥ型コア半体をＩ型コア半体に押し付けると同時に接着するトランス構造が開示されている。
【０００４】
一方、特許文献２には、コイルボビンを挟んで、このコイルボビンの上下方向より１対のＥ型コア半体同士の端面を互いに突き合わせると同時に接着するトランス構造が開示されている。
【先行技術文献】
【特許文献】
【０００５】
【特許文献１】特開２００６−２９４８７２号公報
【特許文献２】特開２０００−１００６３２号公報
【発明の概要】
【発明が解決しようとする課題】
【０００６】
上述したように、特許文献１で知られるトランスの構造では、Ｉ型コア半体とＥ型コア半体の２種類からなり、コイルボビンの下側にＩ型コア半体、上側にＥ型コア半体を配置する場合には、コイルボビンの横側面からＩ型コア半体を配置すれば良いが、コアギャプの位置指定による客先仕様によって上側にＩ型コア半体、下側にＥ型コア半体を配置する必要性が生じる。その場合、横側面からＥ型コアを配置することが出来ないため、上下方向の位置決めが困難になる。
【０００７】
また、一対のＥ型コア半体を用いた特許文献２で知られるトランスでは、コアの配置が逆となった場合の特許文献１と同様に上下方向の位置決めが困難となることから、コアの配置が逆となった場合の特許文献１及び特許文献２共に、トランスの組立作業で、次の(１),(２)の２つの作業工程を必要とする。すなわち、(１)まず、最初の作業工程では、Ｅ型コア半体同士の突き合わせ面間に接着剤を塗布し、かつ、加圧治具Ａ,ＡでＥ型コア半体同士を互いに押し付けて接着・位置決めすることにより１個のコアを形成する。(２)次の作業工程では、このコアとコイルボビンの間に接着剤を塗布し、かつ、加圧治具Ｂ,Ｂでコアとコイルボビンの間を押し付けて接着・位置決めする。したがって、コアの配置が上下逆となった場合の特許文献１および特許文献２で知られるトランスの構造では、組立における接着・加圧工数が多く、コスト高となる。
【０００８】
そこで、本発明は上記問題点に鑑みなされたものであって、コアを形成するコア半体同士の固定、及びこのコアとベース間の固定を、複雑な構造をした接着治具を用いることなく同時に一回で行うことができるようにしたトランスを提供することを目的とする。
【課題を解決するための手段】
【０００９】
上記課題を解決するために、本発明に係るトランスは、端子台部を有したコイルボビンと、該コイルボビンの上下からコア半体同士を突き合わせ接着して一体化されたコアと、コイルボビンの外周に巻装されてなるコイルとからなるトランスであって、前記端子台部の下面側に設けられ、前記下側のコア半体を挿入する開口と、該開口を通して収容されたコア半体が水平面内で所定量回転するのを許容するスペースを内部に有してなるコア収容凹部と、該コア収容凹部内に収容され、所定量回転された前記コア半体の下面と当接されて該コア半体を該コア収容凹部内に抜け止めするためのコア抜け止め部とを有する。
【００１０】
この構成によれば、上下からコア半体の端面同士を互いに接着剤で固定する際、まず、端子台部のコア抜け止め部と下側コア半体の下面の間に接着剤を塗布するとともに、端子台部のコア収容凹部内に下側コア半体をセットし、次いでコア半体の突き合わせ面(端面)に接着剤を塗布して該コア半体同士を互いに突き合わせ、その後、端子台部の下面と上側コア半体の上面からそれぞれ押し付け力を付与して加圧すると、コア半体同士、及び、コアとコイルボビンの間を同時に一回で接着固定することができる。
【００１１】
上記構成において、前記コア抜け止め部は、前記コア収容凹部内に収容された前記コア半体の下面の四隅とそれぞれ当接係合されるようにして、該コア収容凹部の下面四隅に前記開口の縁部と連続して棚状に設けられている、構成を採用できる。
【００１２】
この構成によれば、コアは、下面の四隅がそれぞれ端子台部に安定的に接着固定される。
【００１３】
上記構成において、前記端子台部は、中央部に前記コイルと同心的に設けられたコア中脚挿入孔と、該コア中脚挿入孔を挟んだ左右両側にそれぞれ平行に形成されたコア外脚挿入孔とを備え、前記コア収容凹部内に収容される前記コア半体は、前記コア中脚挿入孔に挿入される断面円形をした中脚部と前記コア外脚挿入孔にそれぞれ挿入される１対の外脚部とを有したＥＲコア半体として形成してなる、構成を採用できる。
【００１４】
この構成によれば、コア半体として、コア中脚挿入孔に挿入係合されている中央脚部が断面円形に形成されてなるＥＲコア半体を使用しているので、端子台部のコア収容凹部内でコア半体を回転させる際、回転を容易に行わせることができる。
【発明の効果】
【００１５】
本発明によれば、コイルボビンの下側にＥ型コア半体を配置する際にコア半体同士の間、及び、コアの下面とコイルボビンの間の接着固定を同時に一回で簡単に行うことができる。これにより、トランス製造コストを下げて安価に提供することができる。
【図面の簡単な説明】
【００１６】
【図１】本発明を適用した一実施形態として示すトランスを上側から見た斜視図である。
【図２】同上トランスを下側から見た斜視図である。
【図３】同上トランスの要部分解斜視図である。
【図４】同上トランスを示し、(ａ)は端子台部におけるコア収容用凹部内の所定位置にコア半体が取り付けられた状態の説明図、(ｂ)は端子台におけるコア収容用凹部内の所定位置にコア半体が取り付けられる前の状態の説明図である。
【図５】図４のＡ−Ａ拡大断面図である。
【図６】同上トランスのコイルボビンを示す斜視図である。
【図７】同上トランスのコイルボビンを示し、(ａ)はコイルを装着してない状態での側面図、(ｂ)はコイルを装着した状態での側面図である。
【図８】図７のＢ−Ｂ線断面図である。
【図９】同上トランスにおけるコアを形成するコア半体同士の接着固定及びコアと端子台部間の接着固定を説明する図である。
【発明を実施するための形態】
【００１７】
以下、添付図面を参照して、本発明を実施するための形態（以下、「実施形態」という）について詳細に説明する。
【００１８】
図１乃至図３は本発明の一実施形態としてのトランスを示し、図１は同上トランスを上側から見た斜視図、図２は同上トランスを下側から見た斜視図、図３は同上トランスの要部分解斜視図、図４は同上トランスを示し、(ａ)は端子台部におけるコア収容用凹部内の所定位置にコア半体が取り付けられた状態の説明図、(ｂ)は端子台におけるコア収容用凹部内の所定位置にコア半体が取り付けられる前の状態の説明図、図５は図４のＡ−Ａ拡大断面図、図６は同上トランスのコイルボビンを示す斜視図、図７は同上トランスのコイルボビンを示し、(ａ)はコイルを装着してない状態での側面図、(ｂ)はコイルを装着した状態での側面図、図８は図７のＢ−Ｂ線断面図である。
【００１９】
なお、以下の説明において、図１中の矢印Ｕ−Ｄ方向のＵ側をトランスの上下方向の上側、Ｄ側を下側、また矢印Ｆ−Ｂ方向のＦ側をトランスの前後方向の前側、Ｂ側を後側、矢印Ｌ−Ｒ方向のＬ側をトランスの左右方向の左側、Ｒ側を右側として説明する。また、実施形態の説明の全体を通じて同じ要素には同じ番号を付している。
【００２０】
同図において、トランス１１は、コイル１２とコイルボビン１３とコア１４等により構成されている。
【００２１】
前記コイル１２は、平角線をエッジワイズ巻きしたエッジワイズコイルであり、本例では、第１巻線１２ａと第２巻線１２ｂと第３巻線１２ｃの３つの巻線により構成されている。そして、これら３つの巻線１２ａ,１２ｂ,１２ｃは、順に積層されてコイルボビン１３の後述する巻芯部１７の外周に装着される。なお、これらの巻線の個数及び巻回数等は、トランスの種類等によって異なるものである。
【００２２】
前記コイルボビン１３は、第１のボビン半体１３ａと第２のボビン半体１３ｂにより構成されている。
【００２３】
前記第１のボビン半体１３ａは、樹脂性材料を成形して形成され、平面視四角形で、かつ、中央部に上下に貫通しているコア中脚挿入孔１５ａを有する下側鍔部としての端子台部１６ａと、コア中脚挿入孔１５ａの周面に沿って端子台部１６ａの上面２６ａから上方に向かって直角に突出している４つの巻芯片１７ａと、が一体に設けられている。
【００２４】
なお、第１のボビン半体１３ａにおける４つの巻芯片１７ａは、図８に示すように、本例ではコア中脚挿入孔１５ａの周面に沿って約９０度間隔で、かつ、それぞれ約４５度の幅を有して形成されている。また、各巻芯片１７ａの左右の両側面１８ａ,１８ａは、同じく図８に示すように内周から外周に向かうに従って巻芯片１７ａの幅が徐々に広くなるようにして設けられた、傾斜面として形成されている。
【００２５】
また、第１のボビン半体１３ａの成形時、端子台部１６ａの相対抗している１対の各縁部には、側面視略コ字形をした２個の端子１９が適宜の間隔でインサートにより設けられている。各端子１９は、上端部１９ａが端子台１６ａの上面から斜め上方外側に向かって延びているとともに、下端部１９ｂが端子台部１６ａの下面から水平に外側へ向かって延びるようにして配設されている。
【００２６】
さらに、端子台部１６ａの下面２６ｂ側には、第１のボビン半体１３ａの成形の際、コア収容用凹部２０がコア中脚挿入孔１５ａと連通して形成されている。このコア収容用凹部２０は、端子台部１６ａの下面２６ｂに後述するコア半体１４ａの挿入を可能にする開口２７を有する。この開口２７の形状は、コア半体１４ａの平面視の形状にほぼ等しく、図４(ｂ)に示すように、コア半体１４ａをコア収容用凹部２０内に開口２７を通して挿入できるように形成されている。その開口２７の前後面には、それぞれ開口中心側に向かって概略Ｖ字状に突出してなる突出部２８,２８が左右方向中間部分に設けられている。
【００２７】
また、コア収容用凹部２０内のスペースは、開口２７を通してコア収容用凹部２０内に挿入されたコア半体１４ａが、図４(ｂ)に示すプリセット位置から同図(ａ)に示すセット位置まで、水平面内で所定量回転できるように、コア半体１４ａの平面視の大きさよりも若干大きく形成されている。さらに、コア収容用凹部２０の下面２６ｂには、このコア収容用凹部２０内に挿入されたコア半体１４ａが前記プリセット位置から前記セット位置まで水平回転されると、このセット位置に回転されたコア半体１４ａの下面と当接して該コア半体１４ａがコア収容凹部２０内から抜け落ちるのを防止するためのコア抜け止め部２３が、コア収容用凹部２０の四隅にそれぞれコア収容用凹部２０の内周面から開口２７の縁部まで連続する棚形状をなすようにして形成されている。
【００２８】
加えて、第１ボビン半体１３ａには、コア中脚挿入孔１５ａを挟んだ左右両側に、適宜の間隔をおいて平行に形成された１対のコア外脚挿入孔１５ｂ,１５ｂが、コア収容用凹部２０内から端子台部１６ａの上面をそれぞれ上下に貫通して設けられている。なお、１対のコア外脚挿入孔１５ｂ,１５ｂは、後述するコア半体１４ａの外脚部２２ｂ,２２ｂがそれぞれ挿入されるもので、コア半体１４ａがプリセット位置からセット位置まで水平回転するとき、このコア半体１４ａの外脚部２２ｂ,２２ｂとぶつかることがないように、外脚部２２ｂ,２２ｂよりも大きく形成されている。
【００２９】
前記第２のボビン半体１３ｂは、樹脂性材料を成形して形成されている。この第２のボビン半体１３ｂは、中央部に上下に貫通しているコア中脚挿入孔２１ａを設けてなる平面視四角形をした上側鍔部１６ｂと、該上側鍔部１６ｂのコア中脚挿入孔２１ａの周面に沿って上側鍔部１６ｂの下面下方に向かって直角に突出している４つの巻芯片１７ｂが一体に形成されている。
【００３０】
なお、第２のボビン半体１３ｂにおける４つの巻芯片１７ｂは、図８に示すように、本例では、第１のボビン半体１３ａにおける巻芯片１７ａと交互に、かつ、互いに側面１８ａ,１８ｂ同士が密に接触して上下方向(鍔部方向)にスライド可能に組み込むことが可能となるように、第１のボビン半体１３ａにおける巻芯片１７ａに対応させて、コア中脚挿入孔２１ａの内周に沿って約９０度間隔で、また、約４５度の幅を有して形成されている。さらに、第２のボビン半体１３ｂが第１のボビン半体１３ａと組み合わせされるとき、各巻芯片１７ｂの両側面１８ｂ,１８ｂも図８に示すように第１のボビン半体１３ａにおける巻芯片１７ａの左右の両側面１８ａ,１８ａと各々密着するように、各巻芯片１７ｂの左右の両側面１８ｂ,１８ｂも内周から外周に向かうに従って巻芯片１７ａの幅が徐々に狭くなるようにして設けられた、傾斜面として形成されている。
【００３１】
そして、これら第１のボビン半体１３ａと第２のボビン半体１３ｂは、巻芯片１７ａ,１７ｂが交互に組み合わさるようにして、図７(ａ)に示すように、第１のボビン半体１３ａの上側から第２のボビン半体１３ｂを組み込んで行くと、第１のボビン半体１３ａにおける巻芯片１７ａの左右の両側面１８ａと第２のボビン半体１３ｂにおける巻芯片１７ｂの左右の両側面１８ｂが互いに擦り合いながら組み込まれ、巻芯片１７ａと巻芯片１７ｂとで円筒状をした巻芯部１７が形成されると共に、この巻芯部１７の上下にそれぞれ下側鍔部としての端子台部１６ａと上側鍔部１６ｂが配置されたコイルボビン１３が構成されるようになっている。
【００３２】
なお、第１ボビン半体１３ａと第２ボビン半体１３ｂにそれぞれ設けられている巻芯片１７ａ,１７ｂの数は、２つ以上であれば幾つであってもよい。また、第１ボビン半体１３ａと第２ボビン半体１３ｂの組み合わせ時、４つ全ての巻芯片１７ａ,１７ｂが擦り合わされなくても、少なくとも1つが擦り合わされた状態になればよい。
【００３３】
このように構成されたコイルボビン１３は、第１のボビン半体１３ａと第２のボビン半体１３ｂを組み合わせするとき、端子台部１６ａ上には３つの巻線１２ａ,１２ｂ,１２ｃを順に積層してなるコイル１２が巻芯部１７の外周に装着配置され、このコイル１２の上下が下側鍔部(端子台部１６ａ)と上側鍔部１６ｂとで図７(ｂ)に示すように挟まれる。この場合、第１のボビン半体１３ａと第２のボビン半体１３ｂを組み合わせて形成されたコイルボビン１３は、互いに上下方向にスライド可能であるから、その巻芯部１７の高さを自由に調整してコイル１２を押さえ込んで加圧することができ、これにより３つの巻線１２ａ,１２ｂ,１２ｃを互いに密着させて結合することができる。また、巻芯部１７に装着された巻線１２ａ,１２ｂ,１２ｃの各巻き始め部及び巻き終わり部は、それぞれ端子部１９に半田等により固定される。
【００３４】
前記コア１４は、断面円形をした円柱状の中脚部２２ａと、この中脚部２２ａの両側に適宜の間隔をおいて平行に設けられた断面四角形状をした１対の外脚部２２ｂ,２２ｂとを有して、Ｅ字状に形成された１対のコア半体(通称、「ＥＲコア」という)１４ａ,１４ｂにより構成されている。この１対のコア半体１４ａ,１４ｂは同一形状をなし、また、前後面の一部には、開口２７の突出部２８,２８に対応してそれぞれ概略Ｖ字状に切欠された切り込み部２９,２９が形成されている。
【００３５】
そして、下側のコア半体１４ａを第１のボビン半体１３ａに取り付ける場合は、円柱状の中脚部２２ａ及び外脚部２２ｂ,２２ｂをそれぞれ上側に向けた状態で、端子台部１６ａの下側から開口２７を通ってコア収容用凹部２０内に挿入させる。これにより、図４(ｂ)に示すプリセット位置にセットされた状態となる。次に、この状態から矢印３０で示す水平回転方向に回転、すなわち図４(ａ)に示すセット位置まで回転させると、同図に示すようにコア半体１４ａの下面の四隅がコア抜け止め部２３上にそれぞれ当接し、これら四隅の上下面がコア収容用凹部２０の上面とコア抜け止め部２３の上面で挟持された状態となり、コア半体１４ａがコア収容用凹部２０内に位置決め保持される。なお、コア半体１４ａのコア収容用凹部２０への挿入時、図６に示すように、中脚部２２ａはコア中脚挿入孔１５ａ内に挿入され、外脚部２２ｂ,２２ｂはコア外脚挿入孔１５ｂ,１５ｂ内に挿入される。また、コア抜け止め部２３上には接着剤３１が塗布され、コア半体１４ａの下面とコア抜け止め部２３の間は接着固定が図られる。
【００３６】
一方、上側のコア半体１４ｂは、円柱状の中脚部２２ａ及び外脚部２２ｂ,２２ｂをそれぞれ下側に向けた状態で、下側のコア半体１４ａの上側から臨ませる。そして、中脚部２２ａを第２ボビン半体１３ｂのコア中脚挿入孔２１ａ内に挿入させて下側コア半体１４ａの中脚部２２ａに突き合わせるとともに、外脚部２２ｂ,２２ｂを下側コア半体１４ａの外脚部２２ｂ,２２ｂにそれぞれ突き合わせ配置する。
【００３７】
これにより、コア半体１４ａとコア半体１４ｂは、中脚部２２ａ,２２ａの端面同士が巻芯部１７内で突き合わされると同時に、それぞれの外脚部２２ｂ,２２ｂの端面同士が巻芯部１７の外側で突き合わされ、前記装着されたコイル１２の内外周を取り囲んでなる1個のコア１４を構成する。
【００３８】
なお、コア半体１４ａがコア抜け止め部２３上に当接係合されるとき、及びコア半体１４ｂがコア半体１４ａと突き合わせされるとき、コア半体１４ａの下面とコア抜け止め部２３の間に塗布された接着剤３１に加えて、外脚部２２ｂ,２２ｂの端面同士の間にも接着剤３１が塗布される。そして、その後、例えば図９に示すように、端子台部１６ａの下面２６ｂとコア半体１４ｂの上面にそれぞれ接着加圧治具５０ａと接着加圧治具５０ｂが当てられ、さらに、これら接着加圧治具５０ａと接着加圧治具５０ｂが互いに押し付け方向に加圧されて、接着剤３１が乾燥されて固化するのを待つ。これにより、コア半体１４ａ,１４ｂ同士の間、及びコア半体１４ａとコア抜け止め部２３の間が同時に接着される。したがって、この加圧と、その後における接着剤の乾燥だけで、コア１４を形成するコア半体１４ａ,１４ｂの端面同士、及び、このコア１４とコイルボビン１３を同時に一回で簡単に接着固定することができる。
【００３９】
以上説明したように、本実施例によるトランス１１によれば、コア半体１４ａ,１４ｂとして１対の同じ形状をしたＥ型のコア半体を使用するので、コア１４を形成するのに一種類の金型で済み、また部品管理も簡単になる。さらに、コア１４を形成するコア半体１４ａ,１４ｂの端面同士の間、及び、コア１４の下面とコイルボビン１３の間を同時に一回で簡単に接着固定することができるので、コストを下げて安価に提供することができることになる。
【００４０】
なお、上記の例では、１対のＥＲ型コア半体１４ａ,１４ｂを突き合わせた構成であるが、この他、ＥＥ型コアや、ＥＩ型コア等の形状の何れにも適用できるものである。
【００４１】
また、上記の例では、合成樹脂等を成形して第１のボビン半体１３ａと第２のボビン半体１３ｂをそれぞれ形成しているが、第１のボビン半体１３ａと第２のボビン半体１３ｂの一方を硬度の高い樹脂で形成し、他方を硬度の低い樹脂で形成してもよい。一例としては、端子台部１６ａを有する第１のボビン半体１３ａを熱硬化性樹脂で形成し、第２のボビン半体１３ｂを熱可塑性樹脂で形成する。
【００４２】
このように形成すると、交互に組み合わさる第１のボビン半体１３ａにおける巻芯片１７ａの両側面１８ａと第２のボビン半体１３ｂにおける巻芯片１７ｂの両側面１８ｂがスライドによって互いに擦れ合うとき、硬度の高い巻芯片(１７ａまたは１７ｂ)の面(１８ａまたは１８ｂ)に硬度の低い巻芯片 (１７ｂまたは１７ａ)の面(１８ｂまたは１８ａ)が擦れることで、巻芯片１７ａ,１７ｂとの間に、押し込み調整されたボビン半体１３ａ,１３ｂ同士が押し込み前の方向に戻るのを抑えるストッパの作用が働き、押し込み調整されたボビン半体１３ａ,１３ｂをその位置で保持しておくことができる。これにより、コイル１２の最適な結合状態を維持し続けることが可能となる。
【００４３】
以上、実施形態を用いて本発明を説明したが、本発明の技術的範囲は上記実施形態に記載の範囲には限定されないことは言うまでもない。上記実施形態に、上記以外の多様な変更または改良を加えることが可能であることが当業者に明らかである。またその様な変更または改良を加えた形態も本発明の技術的範囲に含まれ得ることが、特許請求の範囲の記載から明らかである。
【産業上の利用可能性】
【００４４】
上記実施の形態では、ＥＲ型コアを使用したトランスに適用した場合について説明したが、ＥＲ型コアを使用したトランス以外にも応用できる。
【符号の説明】
【００４５】
１１      トランス
１２      コイル
１２ａ    一次巻線
１２ｂ    二次巻線
１３      コイルボビン
１３ａ    第１のボビン半体
１３ｂ    第２のボビン半体
１４      コア
１４ａ,１４ｂ  コア半体
１５ａ    コア中脚挿入孔
１５ｂ    コア外脚挿入孔
１６ａ    端子台部(下側鍔部)
１６ｂ    上側鍔部
１７      巻芯部
１７ａ    巻芯片
１７ｂ    巻芯片
１８ａ    両側面
１８ｂ    両側面
１９      端子
１９ａ    上端部
１９ｂ    下端部
２０      コア収容用凹部
２１ａ    コア中脚挿入孔
２２ａ    中脚部
２２ｂ    外脚部
２３      コア抜け止め部
２６ａ    端子台部１６ａの上面
２６ｂ    端子台部１６ａの下面
２７      開口
２８      突出部
２９      切り込み部
３０      水平回転方向
３１      接着剤
５０ａ,５０ｂ    接着加圧治具
【図１】
2011146649.tif 000003
【図２】
2011146649.tif 000004
【図３】
2011146649.tif 000005
【図４】
2011146649.tif 000006
【図５】
2011146649.tif 000007
【図６】
2011146649.tif 000008
【図７】
2011146649.tif 000009
【図８】
2011146649.tif 000010
【図９】
2011146649.tif 000011